(57)【要約】【課題】  乾燥風の熱源とするヒートポンプ機構を、ドラムの回転軸心の傾斜に沿って筐体内に効率よく配置でき、且つ熱交換に伴なう除湿水の自然排水を良好にする。【解決手段】  ドラム２４をその回転軸心が前方上向きに傾斜する構成とし、このドラム２４に循環供給する乾燥風の熱源とするヒートポンプ機構をドラム２４の傾斜に沿って配置する。特には、ヒートポンプ機構を構成する除湿用の蒸発器３８を傾斜した前記ドラム２４の高位置側の下方スペースに配置し、凝縮器３７を同低位置側の下方スペースに配置する構成とする。【選択図】  図１
2006141542.tif 000002
【特許請求の範囲】
【請求項１】
圧縮機、凝縮器、キャピラリチューブ、蒸発器からなるヒートポンプ機構を乾燥風の熱源とするとともに、内部にドラムを有する水槽を介して前記乾燥風を循環供給する循環経路を備え、
前記ドラムは回転軸心を傾斜状態に配設し、このドラムの高位置側下方に前記蒸発器を配置し、低位置側に前記凝縮器を配置したことを特徴とするドラム式洗濯乾燥機。
【請求項２】
蒸発器または凝縮器の上面を、ドラムの傾斜角と略等角度に傾斜した構成としたことを特徴とする請求項１記載のドラム式洗濯乾燥機。
【請求項３】
蒸発器および凝縮器の下面を、段差状に構成したことを特徴とする請求項１または２に記載のドラム式洗濯乾燥機。
【請求項４】
乾燥風の循環経路において、凝縮器を配置した下流側に水抜き口を設けたことを特徴とする請求項１ないし３のいずれかに記載のドラム式洗濯乾燥機。
【発明の詳細な説明】
【技術分野】
【０００１】
本発明は、乾燥風を生成する熱源にヒートポンプ機構を採用したドラム式洗濯乾燥機に関する。
【背景技術】
【０００２】
従来、この種ドラム式洗濯乾燥機では、洗い，すすぎ，脱水、および乾燥行程を自動的に運転、或いは選択的に運転可能としているが、上記いずれの行程もドラムの回転速度を制御することで実行可能としている。しかるに、乾燥行程においてドラム内に供給する乾燥風は、これまでシーズヒータ或いはハニカムヒータなどの電気ヒータを利用して加熱源としているが、一般家庭にとって大きな電流容量を費やし大きな負担となることから、近年省エネルギー化のため熱源にヒートポンプ機構を用いたドラム式洗濯乾燥機が提案されている（例えば、特許文献１参照）。
【０００３】
図５は、この種の一般的な従来例を示したもので、筐体１内には弾性支持された水槽２を設け、内部に水平軸周りのドラム３を回転可能に配設している。前記筐体１の前面には、洗濯物を側方から出し入れする投入口１ａが形成され、前記ドラム３および水槽２の前面開口と連通していて、該投入口１ａは回動自在な扉４にて開閉される。しかるに、水槽２の後方背面側にはモータ５が装着され、その回転軸６がドラム３の背面に直結されて、モータ５の回転動力がドラム３に直接伝達される構成としている。また、水槽３の底部には第１の排水管路７が途中に排水弁８を経て筐体１外に導出され、所定の排水場所に排水可能としている。
【０００４】
そして、一端が水槽２の前面側に連通し、他端が水槽２の下方を通り抜け背面側に連通してなる循環経路としての循環ダクト９を接続している。この循環ダクト９は、後述する乾燥風を図示矢印Ａ方向へ送風し水槽２を経てドラム３内に循環供給する。そのため、循環ダクト９の水槽２下方の左端に送風ファン１０を設けている。しかるに、循環ダクト９のうち、水槽２の下方部分は後述する一般周知のヒートポンプ機構を配した熱交換ダクト９ａを構成していて、通常筐体１の底面に対し略平行で、従って回転軸心が水平なドラム３に対しても略平行状態に設けられている。
【０００５】
ところで、上記ヒートポンプ機構は、冷媒を圧縮機１０により凝縮器１１、図示しないキャピラリチューブ（絞り）、蒸発器１２の順に循環する構成からなるもので、前記乾燥風は凝縮器１１にて熱交換され空気が加熱されて生成され、ドラム３内に供給され洗濯物を乾燥する。しかして、ヒートポンプ機構としては、乾燥に寄与した後の水分を含んだ空気を蒸発器１２で冷却除湿し、そして再び凝縮器１１を経て加熱され乾燥風として再生され、洗濯物の乾燥に利用することで省エネルギーを可能としている。なお、上記蒸発器１２で生じた除湿水の排水手段として、熱交換ダクト９ａの当該蒸発器１２の下方に集水凹所１３および排水口１４を形成し、これに開閉弁１５を介して第２の排水管路１６を接続し、更にその下流側下端を前記第１の排水管路７に接続合流して機外の所定場所に排水可能とした所謂自然排水を行なっている。
【特許文献１】特開２００４−１３５７５５号公報
【発明の開示】
【発明が解決しようとする課題】
【０００６】
上記したように従来構成では、ヒートポンプ機構を水槽２と筐体１との下方空間に配設し、循環ダクト９の一部として水平配置の熱交換ダクト９ａに介在され、従ってヒートポンプ機構の凝縮器１１および蒸発器１２も、水平に軸支された水槽２やドラム３と平行配置にあって、通常筐体１の低部に固定された構成にある。そして、蒸発器１２の除湿水を排水するための第２の排水管路１６は、自然排水を良好とすべく水頭を得るため、合流した後の第１の排水管路７の筐体１内の最低部位と、蒸発器１２或いは熱交換ダクト９ａの下面との間に所定の高低差Ｈを必要とし、この高低差Ｈが大きければ排水手段を容易に設けることができ且つ自然排水の性能は良好に維持できる。
【０００７】
このため、筐体１全体の高さ寸法を大きくしたり、或いは狭小なスペースでは排水性能が低下したりするなどの不具合を生ずる。また、近年では使用者の洗濯物の出し入れ操作を容易にするため、ドラム３を前方上向きの傾斜軸周りとし、従って筐体１前面の投入口１ａもやゝ前方上向き状態となるドラム式洗濯乾燥機が提供されている。しかしながら、ドラム３や水槽２を傾斜配置した場合、そのままでは上記水平配置のヒートポンプ機構を下方に移動させることになり、上記した自然排水の高低差Ｈに加えて更に高さ方向に大きなスペースを要し、筐体１が大形化することになりかねない。
【０００８】
本発明は、上記問題点を解決するために、ドラムを傾斜軸周りの構成とするとともに、該傾斜に沿ってヒートポンプ機構を効率よく配置し、筐体の大形化を抑えながら除湿水の排水性能を良好に維持できるドラム式洗濯乾燥機を提供することを目的とする。
【課題を解決するための手段】
【０００９】
上記目的を達成するために、本発明のドラム式洗濯乾燥機は、圧縮機、凝縮器、キャピラリチューブ、蒸発器からなるヒートポンプ機構を乾燥風の熱源とするとともに、内部にドラムを有する水槽を介して前記乾燥風を循環供給する循環経路を備え、前記ドラムは回転軸心を傾斜状態に配設し、このドラムの高位置側下方に前記蒸発器を配置し、低位置側に前記凝縮器を配置したことを主たる特徴とするものである。
【発明の効果】
【００１０】
上記手段によれば、傾斜軸周りのドラム構成により洗濯物の出し入れ操作が容易にできることはもとより、ヒートポンプ機構を傾斜したドラム下方に効率よく配置できて筐体の大形化を抑え得るとともに、蒸発器側からの除湿水の自然排水に必要な高低差を確保できるドラム式洗濯乾燥機を提供できる。
【発明を実施するための最良の形態】
【００１１】
（第１の実施の形態）
以下、本発明のドラム式洗濯乾燥機の第１実施例を示す図１を参照して説明する。まず、図１に示す洗濯乾燥機の全体構成を示す縦断側面図に基づき説明すると、洗濯乾燥機は洗い，すすぎ，脱水および乾燥運転を自動的に、或いは選択的に運転可能としており、該洗濯乾燥機の外殻をなす大略矩形箱状の筐体２１は、その前面中央に洗濯物を出し入れする投入口２１ａを形成し、この投入口２１ａを開閉するドア２２を備えている。なお、前記投入口２１ａは、後述するドラムの傾斜配置に合わせて筐体２１前面の上半部とともにやゝ前方（図示右方）上向きに指向して形成されている。
【００１２】
そして筐体２１の内部には、前後方向に円筒状をなす水槽２３が配設されている。この水槽２３は、前面側である右方を向いて大きく開口している以外は本来的に無孔状で貯水可能な構成とし、且つ若干前上がりの傾斜状態に弾性支持装置（図示せず）を介して弾性支持されている。この水槽２３の内部には、同形態の円筒状をなすドラム２４が回転軸心が前方上向きに傾斜し（∠α）、所謂傾斜軸周りに回転可能に配設されている。このドラム２４は、やはり前面側を大きく開口するとともに、周壁に多数の透孔２４ａや複数のバッフル２４ｂ（１個のみ図示）等を形成していて、回転駆動されることで洗いやすすぎのほか、脱水および乾燥に共用の回転槽として機能する。
【００１３】
しかして、水槽２３およびドラム２４の各前面開口は、いずれも同方向に連通開口して形成され、その略延長線上に前記筐体２１の投入口２１ａが位置し、これらを通して洗濯物をドラム２４に対し出し入れ可能としている。なお、筐体２１の投入口２１ａと水槽２３の前面開口との間には、弾性的なベロー２５が水密に連結され、水槽２３側から筐体２１内への水の漏洩等を防止している。
【００１４】
前記水槽２３の背面部中央には、ドラム２４を回転駆動するモータ２６が配設されている。このモータ２６は、例えばアウタロータ形のＤＣブラシレスモータであり、そのロータに連結され傾斜した回転軸心でもあるた回転軸２７が、水槽２３を貫通してドラム２４の背面部中央に連結されている。従って、モータ２６が通電駆動されると、そのロータと一体にドラム２４が回転する構成にある。また、水槽２３底面の後方最下部には、排水口２８が形成され、途中排水弁２９を介してホースからなる第１の排水管路３０が接続され、その先端側は機外たる筐体２１から外部に導出されて、所定の排水場所に排水可能としている。
【００１５】
一方、本実施例では水槽２３の前面から下方を通り背面部にかけて連通した循環経路３１を設けている。この循環経路３１は、洗濯物を乾燥させるための乾燥風を水槽２３を介してドラム２４内に循環供給するもので（図中に示す矢印Ａ方向）、具体的には例えば背面側の給気ダクト３２、前面側の排気ダクト３３、および下方側に後述するヒートポンプ機構を介在してなる熱交換ダクト３４とから構成され、そして熱交換ダクト３４の下流側左端に送風ファン３５を設けている。なお、熱交換ダクト３４は筐体２１の底部など適宜の静止部位に固定されるに対し、給，排気ダクト３２，３３は弾性支持された水槽２３側に固定され、従ってこれらの各接続部３１ａ，３１ｂは蛇腹状の弾性的に伸縮可能な構成にて接続されている。
【００１６】
しかして、上記ヒートポンプ機構および熱交換ダクト３４の具体構成につき説明すると、ヒートポンプ機構は、周知のように冷媒が圧縮機３６により、凝縮器３７、図示しないキャピラリチューブ（絞り）、蒸発器３８の順に循環する構成からなり、乾燥行程では凝縮器３７にて循環空気を加熱して乾燥風を生成し、送風ファン３５によりドラム２４内に送り込まれて内部の洗濯物を乾燥する。乾燥に寄与した後の水分を含む空気は、排気ダクト３３から熱交換ダクト３４に流入し、ここで蒸発器３８で冷却除湿され、再び凝縮器３７に至り加熱されて乾燥空気として再利用される。
【００１７】
このように、熱交換ダクト３４の通路中に介在された凝縮器３７および蒸発器３８は、その外郭形状を矩形状とし前記ドラム２４の傾斜配置に基づき水槽２３の下方スペースに傾斜状態に配設される。すなわち、ドラム２４や水槽２３の前方上向きの傾斜となる前方側の高位置側に除湿機能を有する蒸発器３８を配置し、後方側の低位置側には加熱機能を有する凝縮器３７を、上下に配置した所謂段差状態に設けた構成としている。従って、本実施例における熱交換ダクト３４は、これら凝縮器３７および蒸発器３８を夫々所定の高低差でもって水平状態に保持する水平なダクト部３４ａ,３４ｂと、これらに挟まれた中間部を傾斜状態のダクト部３４ｃとを連接した構成とされ、やはり全体的には段差形状をなしている。
【００１８】
そして、上記蒸発器３８を配した水平ダクト部３４ｂの底部には、除湿水を集め排水するための集水凹所３９と排水口４０を形成し、この排水口４０には開閉弁４１を介して第２の排水管路４２を接続し、更にその下流側端部を前記第１の排水管路３０に接続合流して、機外の所定の排水場所に自然排水可能としている。この場合、蒸発器３８およびこれを配設した水平ダクト部３４ｂは高位置にあるため、合流した後の第１の排水管路３０の筐体２１内の最低部位との間の所定の高低差Ｈは十分に確保されている。なお、斯かる熱交換ダクト３４の凝縮器３７の下流側において、その最下部には水抜き口４３が形成され、この下方に対向して筐体２１の底面上に水受皿４４が配設されている。
【００１９】
次に、上記構成のドラム式洗濯乾燥機の作用について説明する。
例えば標準コースとして、周知のようにドラム２４の回転速度の制御に基づき洗い、すすぎ、脱水、乾燥の各行程が自動的に実行される。しかるに、図示しない洗濯物を収容するドラム２４は、回転軸心が前方上向きに傾斜した構成とし且つこれに伴ない筐体２１の投入口２１ａも上向き状態に形成されているので、洗濯物の出し入れ作業は容易にできる。しかして、前記行程のうち乾燥行程においては、洗濯物を乾燥するための乾燥風の熱源にヒートポンプ機構を利用するとともに、ドラム２４に対し乾燥風を循環供給するようにして省エネルギー化を図った乾燥運転を可能にしている。
【００２０】
以下、斯かる乾燥行程につき詳述すると、ドラム２４は低速回転せられ乾燥風は送風ファン３５により循環経路３１中を矢印Ａ方向に流れ、そのうちの給気ダクト３２から水槽２３を介してドラム２４内の洗濯物に向けて供給される。しかるに乾燥風は、ヒートポンプ機構を構成する凝縮器３７において、圧縮機３６で圧縮高温化された冷媒と熱交換されて空気が加熱されることにより生成され、給気ダクト３２および水槽２３の背面側からドラム２４の透孔２４ａ群を経てドラム２４内部に供給される。ここで、洗濯物の水分を奪い乾燥に寄与した乾燥風は水分を含んだ空気となり、前方の排気ダクト３３を経て段差形状の熱交換ダクト３４に移送される。
【００２１】
そして、当該空気は高位置の蒸発器３８で図示しないキャピラリチューブを介して膨張した冷媒と熱交換され、ここでは冷却され空気中の水分が結露して除湿される。この除湿水は、滴下して集水凹所３９に集められ、排水口４０、開放状態の開閉弁４１、および第２の排水管路４２を通して排出され、更に合流接続された第１の排水管路３０を介して機外の排水場所に排水される。
一方、除湿された後の空気は下降傾斜したダクト部３４ｃを流れ、低位置側の凝縮器３７に至り前記したように再び熱交換により加熱され、乾燥風としてドラム２４に供給され、この繰り返し実行により洗濯物の乾燥作用が行なわれる。
【００２２】
ところが、このような空気の循環が行なわれる熱交換ダクト３４内では、例えば蒸発器３８で結露した除湿水の一部が飛散するなどして凝縮器３７側に達する場合があり、或いは、熱交換ダクト３４の内壁に温度差に基づき生じた結露水が、循環空気の流れに沿って低位置側の凝縮器３７近傍に達する場合も考えられる。しかるに、このような凝縮器３７近傍に上記水が貯留された場合は、これが加熱されて蒸発し乾燥風とするための空気の加熱効果を妨げることになる。
【００２３】
しかしながら、本実施例では凝縮器３７の下流側の最下部に水抜き口４３を設けているので、水は最下部の水平ダクト部３４ａに貯留されることなく、ダクト外の水受皿４４に排出され、ここで自然蒸発により処理される。従って、このような予測し難い水の貯留による加熱性能の低下は防止され、所望の乾燥風のもとに効率よく洗濯物を乾燥することができる。なお、水抜き口４３は極力空気が流入し難い位置に、および開口形状とすることが望ましい。
【００２４】
上記第１実施例によれば、次のような効果を奏する。
本実施例では、ドラム２４をその回転軸心が前方上向きに傾斜した構成とし、該ドラム２４へ循環供給する乾燥風の熱源としてヒートポンプ機構を用いるとともに、該ヒートポンプ機構を構成する除湿用の蒸発器３８を傾斜したドラム２４の高位置側の下方スペースに配置し、凝縮器３７を同じく低位置側の下方スペースに配置する構成とした。従って、ドラム２４に対する洗濯物の出し入れ操作は、上記ドラム２４の傾斜に基づきやゝ前方上向きに形成した投入口２１ａを通して容易にできるとともに、斯かる構成を利用して蒸発器３８にて生じた除湿水を自然排水するに有効な高低差Ｈを確保でき、無理のない構成にて良好な排水性能を維持できる。
【００２５】
また、全体構成としても傾斜したドラム２４の構成に沿って、上記のように蒸発器３８および凝縮器３７を所謂上下の段差状態に配置できて、ドラム２４および水槽２３の下方スペースを無駄なく有効活用ができ、ヒートポンプ機構を採用しながら筐体２１が大形化するのを極力抑えることができる。更に、本実施例では循環経路３１を構成するうちの熱交換ダクト３４において、凝縮器３７を配置した下流側の最下部に水抜き口４３を設けた構成とした。
【００２６】
これは、必ずしも必要としないが該水抜き口４３を設けたことにより、熱交換ダクト３４の内壁等に結露したり上流側での除湿水が飛散したりした水が流下してきても、貯留されることなく排出されるので、貯留された場合に当該水が蒸発して凝縮器３７による加熱効果を妨げることがない点で有効である。しかも、水抜き口４３から排出された水は水受皿４４に受けられ、自然蒸発により処理されるので専用の排水管路などの機外への排水手段を必要とせず簡易な構成にて提供できる。
【００２７】
上記実施例に対し、図２ないし図４は特にはヒートポンプ機構の異なる形態を特徴とした本発明の第２および第３実施例を示したもので、上記実施例と実質的に同一部分には同一符号を付して説明を省略し、異なる部分につき説明する。
【００２８】
（第２の実施の形態）
まず図２および図３は、本発明の第２実施例を示すもので、図２は図１相当図、図３は後述する凝縮器４６の拡大斜視図である。
このものは、循環経路３１を構成するうちのヒートポンプ機構を介在した熱交換ダクト４５を、全体構成としてドラム２４の傾斜角度（∠α）に沿うように、前方上向き方向に指向した傾斜配置とし、これに凝縮器４６、蒸発器４７を同傾斜状態に配置したものである。
【００２９】
以下、その具体構成につき述べると、凝縮器４６および蒸発器４７の各上面４６ａ，４７ａをドラム２４の傾斜角と略等角度に傾斜した構成とするとともに、上記第１実施例に比して上方に拡張して水槽２３に近接した構成としたものである。但し、それらの下面４６ｂ，４７ｂは第１実施例と同様に水平状態にあって、上下方向の高低となす所謂段差状をなす構成としている。
このため、凝縮器４６および蒸発器４７は側方（図示上面）から見て、前方である上流側に拡大する非定形な台形状をなし、上記第１実施例の夫々に比し少なくとも上面側のスペース（水槽２３の下方）を有効活用した分、容積が大きくなる。特に、低位置側の凝縮器４６は、高位置とする制約を伴う蒸発器４７に比し自由度が高く、より一層容積を大形化できる。
【００３０】
しかして図３は、このような凝縮器４６の一例を拡大して示す斜視図である。基本的構成としては、周知のように放熱用の多数のフィン４８と冷媒用のチューブ４９とを交差状態に構成してなるもので、本実施例では上記したように上面４６ａが上方の水槽２３下面に近接するまで延長され、且つドラム２４の傾斜角（∠α）相当分、前方の上流側ほど容積が一層拡大した構成を示している。このことは、蒸発器４７の構成においても同様に容積が拡大する傾向にあるが、第２の排水管路４２を設け且つ自然排水を良好とする高低差Ｈを得るための制約を有する点で限度がある。
従って、熱交換ダクト４５も上面は前方上向きに直線的に傾斜し、下面は水平部分を有する段差形状とする少なくとも上下面非対称で、全体構成としては下流側の通路断面積を大きくした通路構成にある。
【００３１】
斯かる構成によれば、熱交換ダクト４５に設ける凝縮器４６および蒸発器４７の各上面４６ａ，４７ａをドラム２４と略等角度に傾斜し、各下面４６ｂ，４７ｂを水平とする上下段差状態となる配置構成としたので、上記第１実施例と同様に洗濯物の出し入れを容易にしたドラム２４の傾斜した下方のスペースを有効活用できるとともに、蒸発器４７の下面４７ｂにおける第２の排水管路４２等による自然排水に有効な高低差Ｈを確保でき、除湿水を速やかに排出できる。
【００３２】
その上、本実施例では凝縮器４６および蒸発器４７を共に大形化が可能で、チューブ４９およびフィン４８の増設が図れて空気との熱交換面積の増大や性能アップができ、熱交換性能を一層向上させることができる。つまり、空気の加熱性能を向上して効率よく乾燥風を生成でき、延いては洗濯物の乾燥性能の向上が期待できる。中でも、低位置側の凝縮器４６は、高位置側の蒸発器４７に比し容積を大形化できる点で、乾燥風を得るべく熱交換性能を飛躍的に向上することができる。
【００３３】
ここで、ヒートポンプ機構の熱交換作用につき改めて詳述すると、凝縮器４６では圧縮機３６により冷媒が圧縮されて高温高圧の冷媒となり、熱交換ダクト４５を流れる空気との間で熱交換がなされる。このとき、空気は加熱されて乾燥風となる。しかる後、冷媒はキャピラリチューブを経て膨張し蒸発器４７に供給され、乾燥後の湿った空気と熱交換され蒸発する。このときの蒸発潜熱は、空気から与えられることから空気は冷却され、飽和蒸気量が少なくなり該空気中の過飽和蒸気が結露する。この結露した水は蒸発器４７を伝って滴下し、所謂除湿水として第２の排水管路４２等を経て機外に排出される。
【００３４】
このことから、蒸発器４７による熱交換性能は空気を加熱する凝縮器４６側より熱の移動が効率よく行なわれ、そのため凝縮器４６側を大形化し熱交換面積等を大きくすることで一層空気の加熱効果は向上する。そこで、本実施例では第１実施例に比して凝縮器４６および蒸発器４７共に容積アップできることに加え、特には凝縮器４６を大形化できる結果、熱交換面積や熱交換性能を拡充できて、より一層熱交換性能を向上でき効率のよい乾燥作用が期待できる。
【００３５】
（第３の実施の形態）
次いで、図４は本発明の第３実施例を示す図１相当図である。
このものは、循環経路３１を構成するうちのヒートポンプ機構を介在した熱交換ダクト５０の全体を、ドラム２４の傾斜角度に沿うように前方上向き方向に指向した傾斜配置とし、これに凝縮器５１、蒸発器５２を同傾斜状態に配置したものである。すなわち、具体的には、凝縮器５１および蒸発器５２の各上面５１ａ，５２ａ、および各下面５１ｂ，５２ｂ共に熱交換ダクト５０と同様にドラム２４の傾斜角（∠α）と略等角度に傾斜配置したものである。但し、下面５１ｂ，５２ｂも傾斜状態にあるが、高位置側の蒸発器５２に対し凝縮器５１が一段と低位置となる段差状をなす配置構成としている。
【００３６】
しかして、本実施例における凝縮器５１、蒸発器５２は、全体の外郭構成はいずれも略矩形状をなしていて、上記第１実施例のものと類似するが、やはり傾斜状配置によるドラム２４に基づく水槽２３下方のスペースの有効活用が図り得、上下方向に拡張した如く容積を大形化することができる。また、同様に凝縮器５１は、高位置とする制約を受ける蒸発器５２に比して上下方向のスペースを利用して、より大形化が可能である。このため、熱交換ダクト５０も蒸発器５２の下流側において大形化した凝縮器５１を組み込むべく通路断面積を大きくした通路形状としている。結果、上記第２実施例で述べたと同様に凝縮器５１の容積アップが図れ、図示しない冷媒を流すフィン付チューブ等の増設による熱交換面積等を拡大し得、凝縮器５１側の熱交換性能を効果的に向上させることができる。
【００３７】
上記したように、本実施例では熱交換ダクト５０、凝縮器５１および蒸発器５２の上下面全体をドラム２４の傾斜に沿った配置構成とすることで、上記第２実施例と同様にドラム２４、厳密には水槽２３下方のスペースを有効活用できるとともに、蒸発器５２の最低部位に対し第２の排水管路４２等による自然排水に有効な高低差Ｈを確保できる。そして、凝縮器５１、蒸発器５２の各下面５１ｂ，５２ｂは、ドラム２４の回転軸心の傾斜角（∠α）と略等角度に傾斜しながら段差状に配置したので、蒸発器５２に対して凝縮器５１側を容易に大形化でき、効果的に熱交換性能を向上させることができる。つまり、空気の加熱性能を向上して効率よく乾燥風を生成でき、延いては洗濯物の乾燥性能の向上が期待できる。
【００３８】
なお、本発明は上記し且つ図面に示した各実施例に限定されることなく、例えば循環経路の具体構成や、乾燥風などの循環空気の流れ方向とこれに伴うヒートポンプ機構の配置構成など、実施に際して本発明の要旨を逸脱しない範囲で具体的に種々変更して実施できるものである。
【図面の簡単な説明】
【００３９】
【図１】本発明の第１実施例のドラム式洗濯乾燥機の全体構成を示す縦断側面図
【図２】本発明の第２実施例を示す図１相当図
【図３】凝縮器を拡大して示す斜視図
【図４】本発明の第３実施例を示す図１相当図
【図５】従来例を示す図１相当図
【符号の説明】
【００４０】
図面中、２１は筐体、２１ａは投入口、２３は水槽、２４はドラム、３０は第１の排水管路、３１は循環経路、３２は給気ダクト、３３は排気ダクト、３４，４５，５０は熱交換ダクト、３５は送風ファン、３６は圧縮機、３７，４６，５１は凝縮器、３８，４７，５２は蒸発器、４２は第２の排水管路、４３は水抜き口、および４４は水受皿を示す。
【図１】
2006141542.tif 000003
【図２】
2006141542.tif 000004
【図３】
2006141542.tif 000005
【図４】
2006141542.tif 000006
【図５】
2006141542.tif 000007